(57)【特許請求の範囲】
【請求項１】
弾性圧搾可能な胴部上端から肩部５を介して口頸部６を起立する半単位容器体２，２を、前後一対として各胴部を接して、かつ各胴部下端を一枚の板状シール部７として共に挟着させ、又上記両口頸部は両肩部の左右反対側部分から起立させて設けた単位容器体１と、
第１頂壁12から垂下させた二つの第１連通筒13,13 を、上記口頸部６，６へそれぞれ水密に嵌合させると共に、各第１連通筒が囲む第１頂壁部分に開口させた第１開口15,15 のうち、前方側の第１開口周縁からは第２連通筒16を、かつ後方側の第１開口および該開口前方の第１頂壁部分を共に囲成させて起立通路筒14を、それぞれ立設した第１キャップ状部材11と、
上記第２連通筒16と起立通路筒14とへ、第２頂壁23から垂下させた第３連通筒29と垂下通路筒22とをそれぞれ水密に嵌合させると共に第３連通筒29が囲む第２頂壁部分と垂下通路筒22の前部が囲む第２頂壁部分とをそれぞれ開口させて、該開口24,24 周縁から左右一対のノズル25,25 を起立させた第２キャップ状部材21とで形成した
ことを特徴とする混合用クリーム状物注出容器。
【請求項２】
上記両ノズル口部を第３頂壁33で開閉自在に閉塞すると共に、第３頂壁後部を第２キャップ状部材21後部へ上記両ノズル口部の中心を結ぶ線とほぼ平行に設けたヒンジ32を介し連結して、第２キャップ状部材と一体に形成された、第３キャップ状部材31を有する
ことを特徴とする請求項１記載の混合用クリーム状物注出容器。
【請求項３】
上記ヒンジを弾性反転可能な三点ヒンジとした
ことを特徴とする請求項２記載の混合用クリーム状物注出容器。
【請求項４】
半単位容器体２、２を、弯曲壁部３両側を垂直壁部４の両側に接合させると共にこれ等両壁部下端を板状に接合させて胴部となし、該胴部上端から肩部５を介して口頸部６を起立させて設け、上記半単位容器体２、２の垂直壁部４、４相互を重合せて単位容器体１とした
ことを特徴とする請求項１、２、又は３記載の混合用クリーム状物注出容器。
【請求項５】
上記両ノズル形成壁の前後両面間を前後両壁部26、26で連結させて、上記両ノズルを外見上一箇の連続ノズル27とした
ことを特徴とする、請求項１、２、３又は４記載の混合用クリーム状物注出容器。
【発明の詳細な説明】
【０００１】
【発明の属する技術分野】
本発明は混合用クリーム状物注出容器に関する。
【０００２】
【従来の技術】
例えば特開平7-315448号が示すように、起伏自在なノズルを有し、該ノズルを起立させた状態での容器体胴部の圧搾により容器体内液体をノズルから注出可能に設けた液体注出容器を、二箇胴部を接して連結させると共に、各容器のノズルを起立させたとき、それ等両ノズルの注出口が近接して、両容器体胴部圧搾により各注出口から噴出した両液体が混合するよう設けた混合液注出容器が知られている。
【０００３】
【発明が解決しようとする課題】
上記従来容器は、容器上部に露出させた二本のノズルをそれぞれ起伏させなければならない面倒があった。
【０００４】
本発明はそれ等欠点を除去可能に設けたものである。
【０００５】
【課題を解決するための手段】
第１の手段として、弾性圧搾可能な胴部上端から肩部５を介して口頸部６を起立する半単位容器体２，２を、前後一対として各胴部を接して、かつ各胴部下端を一枚の板状シール部７として共に挟着させ、又上記両口頸部は両肩部の左右反対側部分から起立させて設けた単位容器体１と、
第１頂壁12から垂下させた二つの第１連通筒13,13 を、上記口頸部６，６へそれぞれ水密に嵌合させると共に、各第１連通筒が囲む第１頂壁部分に開口させた第１開口15,15 のうち、前方側の第１開口周縁からは第２連通筒16を、かつ後方側の第１開口および該開口前方の第１頂壁部分を共に囲成させて起立通路筒14を、それぞれ立設した第１キャップ状部材11と、
上記第２連通筒16と起立通路筒14とへ、第２頂壁23から垂下させた第３連通筒29と垂下通路筒22とをそれぞれ水密に嵌合させると共に第３連通筒29が囲む第２頂壁部分と垂下通路筒22の前部が囲む第２頂壁部分とをそれぞれ開口させて、該開口24,24 周縁から左右一対のノズル25,25 を起立させた第２キャップ状部材21とで形成した。
【０００６】
第２の手段として、上記第１の手段を有すると共に、上記両ノズル口部を第３頂壁33で開閉自在に閉塞すると共に、第３頂壁後部を第２キャップ状部材21後部へ上記両ノズル口部の中心を結ぶ線とほぼ平行に設けたヒンジ32を介し連結して、第２キャップ状部材と一体に形成された、第３キャップ状部材31を有する。
【０００７】
第３の手段として、上記第２の手段を有すると共に、上記ヒンジを弾性反転可能な三点ヒンジとした。
【０００８】
第４の手段として、上記第１、第２又は第３の手段を有すると共に、半単位容器体２、２を、弯曲壁部３両側を垂直壁部４の両側に接合させると共にこれ等両壁部下端を板状に接合させて胴部となし、該胴部上端から肩部５を介して口頸部６を起立させて設け、上記半単位容器体２、２の垂直壁部４、４相互を重合せて単位容器体１とした。
【０００９】
第５の手段として、上記第１、第２、第３又は第４の手段を有すると共に、上記両ノズル形成壁の前後両面間を前後両壁部26、26で連結させて、上記両ノズルを外見上一箇の連続ノズル27とした。
【００１０】
【発明の実施の形態】
以下図面について説明すると、１は単位容器体で、該容器体は前後一対の半単位容器体２，２の胴部を接して設けたものである。半単位容器体は、横断面半円状に、弯曲壁部３の両側を、垂直壁部４の両側に接合させると共に、これ等両壁部の下端を、一枚の板状シール部７として共に挟着させ、弾性圧搾可能な胴部を形成し、又その胴部上端から肩部５を介して口頸部６を起立する。
【００１１】
それ等半単位容器体は、上記垂直壁部４，４相互を重合せて単位容器体１を形成する。それ等垂直壁部相互は接着させてもよい。
【００１２】
上記口頸部６，６は、両肩部の左右反対部分から起立させる。図示例では前方半単位容器体の口頸部を肩部左方から、又後方半単位容器体の口頸部を肩部右方から、それぞれ起立するが逆に設けてもよい。
【００１３】
11は第１キャップ状部材で、第１頂壁12の左右両部から二つの第１連通筒13,13 を垂下し、又第２連通筒16と起立通路筒14とを立設する。第１連通筒13,13 はそれぞれ上記半単位容器体の口頸部６，６へそれぞれ水密に嵌合させるもので、第１連通筒が囲む第１頂壁部分を第１開口15,15 させ、これ等開口を介して第１連通筒内と起立通路筒14,14 内とを連通させる。
【００１４】
起立通路筒14は上記第１開口15および該開口の斜前方の第１頂壁部分上面を共に囲成させて第１頂壁12から立設している。該起立通路筒は図１が示すように楕円形状とし、上記第１開口15から第１頂壁12前方へ、第２連通筒16に近づけて立設するとよい。第１頂壁12外周からは第１周壁17を垂下している。
【００１５】
21は第２キャップ状部材で、上記起立通路筒14および第２通路筒16の内面又は外面へ水密に嵌合させる垂下通路筒22および第３連通筒29を第２頂壁23から垂下し、その垂下通路筒22が囲む第２頂壁前部および第３連通筒29が囲む第２頂壁部分を図１のように第２開口24,24 させ、又それ等両開口周縁からノズル25,25 を起立する。これ等ノズルは両ノズルの筒壁前後両面間部分を前後両壁部26，26で一体に接合させて、二箇のノズル孔を有している外見上一箇の連続ノズル27としてもよい。ノズル孔上端は第２頂壁23の前部の左右両部上方に近接して位置するよう設けている。第２頂壁外周からは、既述第１周壁17外面へ嵌合させて第２周壁28を垂下させている。
【００１６】
上記ノズル孔上端の口部は、別に設けた栓等で閉塞させることが考えられるが、図示例では第３キャップ状部材31を、ヒンジ32を介して第２キャップ状部材21の後部へ付設して、該第３キャップ状部材31が有する第３頂壁33で開閉可能としている。第３頂壁33からはノズル孔の上端部内へ嵌合させる筒栓34,34 を垂下させるとよい。又上記ヒンジ32は該第３キャップ状部材を弾性反転させることの可能な、公知の三点ヒンジで形成することが好ましい。図示例では第３頂壁から第３周壁35を垂下し、該周壁と第２周壁および第３周壁とで三点ヒンジを形成している。
【００１７】
上記各部材はそれぞれ合成樹脂材で形成しており、第２キャップ状部材21と第３キャップ状部材31とは一体成形している。
【００１８】
既述構成において、図２が示す第３キャップ状部材閉塞状態から該第３キャップ状部材31を開き、半単位容器体２，２の各胴部を共に圧搾すると、各胴部内に収納された異種のクリーム状物はそれぞれに設けられた口頸部６、第１連通筒13、起立および垂下通路筒14,22 および第２連通筒16と第３連通筒29が形成する通路内を通ってノズル25,25 から注出されるから、これ等注出されたクリーム状物を手或いは皿等で受けて混合させ、該混合液を使用する。注出後は第３キャップ状部材31、又該第３キャップ状部材を設けない場合は別に設けた閉塞具により各ノズル孔上端部を閉塞する。
【００１９】
【発明の効果】
本発明は既述構成とするものであり、請求項１記載の発明の場合は、既述従来例の場合のようにノズルを起伏させる面倒がない。又半単位容器体２，２は前後に位置するに対してノズル25,25 は左右に位置させたから、単位容器体１を傾けて注出する際に、半単位容器体が上下に位置してしかも両ノズルは同じ高さを保って下降させることが出来、よってこのような使用を行う消費者にとっては好都合である。
【００２０】
又半単位容器体の一方の口頸部と、他方半単位容器体の口頸部とは両肩部の左右反対側部分から起立させているから、肩部右方から口頸部を起立する半単位容器体内クリーム状物をＡクリーム状物に、又肩部左方から口頸部を起立する半単位容器体内にはＢクリーム状物を、それぞれ充填するようにすることで、誤ってＡクリーム状物収納の半単位容器体だけを組合せて単位容器体とすることを防止できる。尚口頸部の左右は、胴部に対する印刷等で見分けることが出来る。
【００２１】
請求項２のように、両ノズル口部の中心を結ぶ線とほぼ平行に第２キャップ状部材の後部に第３キャップ状部材31を連結するヒンジ32を設けることで、上記両ノズルから注出するクリーム状物が第３キャップ状部材31に隠れて見え難くなることがなく、又その第３キャップ状部材があるから、両ノズル口部の開閉が容易となる。
【００２２】
請求項３のようにすることで、第３キャップ状部材の開閉が容易となる。
【００２３】
請求項４のように形成することで、半単位容器体の各胴部を同時に圧搾することが容易となる。
【００２４】
請求項５のように形成することで、第２キャップ状部材のノズル部分の外見を向上させることが出来る。
【図面の簡単な説明】
【図１】  本発明容器の分解斜視図である。
【図２】  本発明容器の正面図である。
【符号の説明】
１…単体容器体                  ２…半単位容器体
11…第１キャップ状部材          21…第２キャップ状部材
31…第３キャップ状部材
【図１】
0003803956.tif 000002
【図２】
0003803956.tif 000003